(57)【要約】【課題】  閉じた傘を持ち歩いている最中に一時的に止むを得ず傘を手から離す必要が生じた場合、その傘を、滑って倒れやすいことを覚悟して壁やショーケース等に立てかけたり、小脇に抱えたりあるいは床上に倒して置くしかなく不便である。【解決手段】  傘の概略Ｊの字状もしくは概略Ｌの字状に形成された握り柄を、この握り柄を包含する面がこの傘のシャフトの軸方向に対し直角を為す方向に可逆的に概略９０°曲がるように構成し、通常使用時には曲げずに従来の握り柄の状態で従来どおりの握り柄として使い、一時的に手から離す時はこの握り柄を概略９０°曲げてこの握り柄を下にして床面に置くことにより、握り柄が台座となって傘が床上に自立するようにした。【選択図】  図７
2006021003.tif 000002
【特許請求の範囲】
【請求項１】
端部を概略Ｊ（ジェイ）の字状もしくは概略Ｌ（エル）の字状に形成された傘の握り柄を、この握り柄を包含する面がこの傘のシャフトの軸方向に対し直角を為す方向に、可逆的に概略９０°曲げることが出来るようにしたことを特徴とする傘。
【請求項２】
請求項１の握り柄が、この傘のシャフトの軸方向に対し直角を為す方向に、可逆的に概略９０°曲げることが出来る第一の部材と、第一の部材とは反対方向に可逆的に概略９０°曲げることが出来る第二の部材とから構成されていることを特徴とする請求項１記載の傘。
【発明の詳細な説明】
【技術分野】
【０００１】  本発明は、床上に自立させられる傘の、主に握り柄部に関する。
【背景技術】
【０００２】  一般的に傘は、先端が細い棒状で、握り柄部分は概略Ｊの字状か概略Ｌの字状の形状になっており、傘を差すときや持ち運び時、保管時（以下「通常使用時」という）には適切な形状となっている。【０００３】  しかしながら、例えば買い物途中で両手の自由が欲しいとき等は、傘を閉じ一時的に傘を手から離す必要があるが（以下「一時手離し時」という）、傘はそのための形状もしくは機能を有していないので、壁やショーケース等の傘を立てかけられるところを探し、滑って倒れやすいことを覚悟してそれらに立てかけるか、傘を小脇に抱えるかもしくは傘を床上に倒して置くぐらいしか方法がない。【０００４】  その際、立てかけておいたものが滑って倒れれば傘の布部分が汚れ、倒れた傘が通行の邪魔になって他人に迷惑をかけたり、小脇に抱えればその先端で同様に他人に迷惑をかけることもあり、ちょっと置いておくことが大変煩わしく、かつ不便である。
【発明の開示】
【発明が解決しようとする課題】
【０００５】  本発明は、通常使用時は従来通りの機能を有する傘でありながら、一時手離し時は壁やショーケース等などに立てかけたり床に倒しておかなくても、床に自立させて置ける機能を付与し、従来技術の煩わしく不便な点を解消しようとするものである。
【課題を解決するための手段】
【０００６】  本発明は、傘の概略Ｊの字状もしくは概略Ｌの字状に形成された握り柄を、この握り柄を包含する面がこの傘のシャフトの軸方向に対し直角を為す方向に可逆的に概略９０°曲がるように構成し、通常使用時には曲げずに従来の握り柄の状態で従来どおりの握り柄として使い、一時手離し時はこの握り柄を概略９０°曲げてシャフトに対して握り柄からなる概略の垂直面を作り出し、この握り柄を下に傘を床面に置くことにより握り柄が台座となって傘が自立するようにしたものである。
【発明の効果】
【０００７】  本発明は以上説明したように、その場で傘を一時的に床上に自立させて置けるため、買い物時に財布を取り出してお金を払うときや、その他傘から手を離したいあらゆる局面、あらゆる場所で傘を立てかけるところを探したり、小脇に抱えたり、床に倒して置いたりすることがなく非常に便利である。
【発明の実施するための最良の形態】
【０００８】  以下、添付の図面に基づき本発明の実施の形態を詳細に説明するものとする。
【０００９】  図１〜図３および図７は、本発明の実施形態の一例（以下実施例１という）である。
【００１０】  図１において、傘のシャフト（２）の下部に握り柄基部（３）が固着され、握り柄基部（３）の下部は二股状の握り柄迎合部（３１）が形成され、さらに握り柄迎合部（３１）には回転軸（５）が挿入される穴（３２）、（３３）が設けられている。
【００１１】  概略Ｊ字状である握り柄（４）の一端には、突出部（４１）と、突出部（４１）のほぼ中央には回転軸（５）が貫通する穴（４２）が設けられている。
【００１２】  ここで握り柄（４）の突出部（４１）は握り柄基部（３）の握り柄迎合部（３１）に差し込まれ、回転軸（５）により握り柄迎合部（３１）に対し回動自在に取り付けられている。
【００１３】  ただし、前述の握り柄基部（３）の側面は、図２に示すように握り柄（４）の回動幅規制形状（３５）に形成されており、握り柄（４）の回動を図２に示す０°から図３に示す右回りに概略９０°の幅に規制している。
【００１４】  この際、握り柄迎合部（３１）の二股間の寸法を握り柄（４）の突出部（４１）の厚み寸法より若干小さくし、互いに無理嵌めすることにより回動が渋くなり、どの回動角度においても外力なしに自然回動することなく都合がよい。
【００１５】  さてこの実施例１の傘の使用に当たっては、通常使用時においては図２に示すように握り柄（４）を回動角度０°、すなわち真っ直ぐにして従来の傘と何ら変わることなく使用し、一時手離し時に当たっては図３に示すように、握り柄（４）を概略９０°曲げてシャフト（２）に対して握り柄（４）からなる概略の垂直面を作り出し、この概略の垂直面を下にして床上に置けば、図７に示すようにこの握り柄（４）が台座となって傘（１）を床上に自立させることが出来るのである。
【００１６】  なお、握り柄（４）が概略Ｊ字状であるので台座となる概略の垂直面が作り出せたが、握り柄（４）が概略Ｌ字状であっても同様の効果を得ることができる。
【００１７】  図４〜図６および図８は本発明の実施形態の別の一例（以下実施例２という）である。
【００１８】  ５図において、前述の実施例１の握り柄（４）は第一の部材（４ａ）と第二の部材（４ｂ）の互いに対称形状である２部材が背中合わせに合わさることにより構成され、第一の部材（４ａ）は回転軸（５１）により、また第二の部材（４ｂ）は回転軸（５２）により回動可能に握り柄基部（３）に取り付けられている。
【００１９】  図６において第一の部材（４ａ）と第二の部材（４ｂ）は互いに反対方向に９０°曲げたとき、それぞれの角部（４ａ１）、（４ｂ１）が当接してそれ以上回動しない形状が付与されている。
【００２０】  さらに、握り柄迎合部（３１）の二股部の寸法を第一の部材（４ａ）、第二の部材（４ｂ）の突出部（４ａ２）、（４ｂ２）の寸法より若干小さくして無理嵌めすることにより回動が渋くなり、どの回動角度においても外力なしに自然回動することなく都合がよい。
【００２１】  さてこの実施例２の傘の使用に当たっては、通常使用時においては図５に示すように第一の部材（４ａ）および第二の部材（４ｂ）を背中合わせ状態にして握り柄（４）を形成し、従来の傘と何ら変わることなく使用し、一時手離し時に当たっては図６に示すように、第一の部材（４ａ）を左回転で９０°、第二の部材（４ｂ）を右回転で９０°曲げてシャフト（２）に対する垂直面を作り出し、この垂直面を下にして床上に置けば、図８に示すようにこの第一の部材（４ａ）、第二の部材（４ｂ）が台座となって傘（１）を床上に自立させることが出来る。
【００２２】  なお、第一の部材（４ａ）、第二の部材（４ｂ）が概略Ｊ字状であるので台座となる垂直面が作り出せたが、第一の部材（４ａ）、第二の部材（４ｂ）が概略Ｌ字状であっても同様の効果を得ることができる。
【００２３】  また、前述のふたつの実施例は、実施例１は台座部分が小さいので自立時のバランスを失いやすい短所を有するが、部品点数が少ないためコストが安く自立時に場所を取らない長所を有する特徴があり、実施例２は部品点数が多いためコストが高く台座部分が大きいので自立時に場所を取る短所を有するがが、自立時のバランスを失いにくい長所を有する特徴があるので、特にどちらかに優劣があるものではなくどちらも極めて有意義な発明である。
【図面の簡単な説明】
【００２４】
【図１】  本発明の傘の実施例１の握り柄部の正面図
【図２】  図１の左側面図
【図３】  図２の、握り柄（４）を概略９０°曲げたときの状態図
【図４】  本発明の傘の実施例２の握り柄部の正面図
【図５】  図４の左側面図
【図６】  図４の、二個の握り柄を別々の方向に９０°曲げたときの状態図
【図７】  実施例１の使用状態の斜視図
【図８】  実施例２の使用状態の斜視図
【符号の説明】
【００２５】    １    傘
２    シャフト
３    握り柄基部
４    握り柄
５    回転軸
４ａ  第一の部材
４ｂ  第二の部材
【図１】
2006021003.tif 000003
【図２】
2006021003.tif 000004
【図３】
2006021003.tif 000005
【図４】
2006021003.tif 000006
【図５】
2006021003.tif 000007
【図６】
2006021003.tif 000008
【図７】
2006021003.tif 000009
【図８】
2006021003.tif 000010